【手続補正書】
【提出日】平成31年3月26日(2019.3.26)
【手続補正１】
【補正対象書類名】特許請求の範囲
【補正対象項目名】全文
【補正方法】変更
【補正の内容】
【特許請求の範囲】
【請求項１】
シートバックへの取付けのための付属品組立体であって、
前記シートバックに取り付けられるように構成された支持構造体と、
前記支持構造体によって動作可能に支持され、スクリーンを含む電子デバイスと、
前記電子デバイスによって動作可能に支持されるハンガーであって、前記ハンガーが前記スクリーンを遮らないように、前記スクリーンから離間して配置されるハンガーと
を備え、
前記ハンガーは、人間の肩のように形作られ、本体と、前記本体から互いに反対方向に延在する第１のアーム及び第２のアームを含み、
前記第１のアームは、第１の部分と第１の肘部を含み、
前記第２のアームは、第２の部分と第２の肘部を含み、
前記第１の部分は、前記本体と前記第１の肘部の間で延在し、前記第２の部分は、前記本体と前記第２の肘部の間で延在し、前記第１の肘部及び前記第２の肘部は、それぞれ、互いに反対方向に前記電子デバイスの周囲縁部を越えて延在し、
前記ハンガーの前記第１の部分及び前記第２の部分は、前記スクリーンから離間しており、これにより、前記ハンガーによって前記スクリーンが遮られることなく前記スクリーンの全体が見え、前記第１の部分及び前記第２の部分が衣類を支持するように位置決めされている、
付属品組立体。
【請求項２】
前記電子デバイスが周囲縁部を含み、前記ハンガーが第１の部分と第２の部分とを含み、前記第１の部分と前記周囲縁部との間に第１の開口部が配置され、前記第２の部分と前記周囲縁部との間に第２の開口部が配置されるように、前記第１の部分と前記第２の部分がそれぞれ前記周囲縁部を少なくとも部分的に越えて延在している、請求項１に記載の付属品組立体。
【請求項３】
前記電子デバイスが、第１の側と、前記第１の側とは反対の第２の側とを含み、前記スクリーンが前記第１の側に配置され、前記ハンガーおよび前記支持構造体がそれぞれ前記第２の側に係合する、請求項１に記載の付属品組立体。
【請求項４】
前記電子デバイスが、互いに対向しており互いに離間している第１の縁部と第２の縁部とを含み、前記電子デバイスが、互いに対向しており互いに離間している第３の縁部と第４の縁部とを含み、前記第１、第２、第３、および第４の縁部が協働して周囲縁部を形成するように、前記第１および第２の縁部が、それぞれ前記第３および第４の縁部に隣接して配置され、前記ハンガーが前記第３および第４の縁部に係合し、前記第１および第２の縁部からは離間して配置されている、請求項１に記載の付属品組立体。
【請求項５】
前記電子デバイスが、互いに対向しており互いに離間している第１の縁部及び第２の縁部を含み、
前記電子デバイスが、互いに対向しており互いに離間している第３の縁部及び第４の縁部を含み、
前記第１の縁部及び前記第２の縁部は、それぞれ、前記第３の縁部及び前記第４の縁部に隣接して配置され、これにより、前記第１、第２、第３及び第４の縁部が協働して前記周囲縁部を形成し、
前記ハンガーの前記第１の部分の少なくとも一部分及び前記第２の部分の少なくとも一部分が、前記電子デバイスの前記第１の縁部を越えて延在し、
前記第１の肘部が前記電子デバイスの前記第３の縁部を越えて延在し、前記第２の肘部が前記電子デバイスの前記第４の縁部を越えて延在する、請求項１に記載の付属品組立体。
【請求項６】
前記電子デバイスおよび前記ハンガーが、前記本体のところで動作可能に互いに取り付けられ、前記本体は、前記第３の縁部と前記第４の縁部の間の中央に配置されている、請求項５に記載の付属品組立体。
【請求項７】
シートバックに取り付けられるように構成された付属品組立体であって、
スクリーンを含み、周囲縁部に取り囲まれた電子デバイスと、
前記電子デバイスに取り付けられるように構成されるハンガーと
を備え、
前記ハンガーは、人間の肩のように形作られるように、第１の部分及び前記第１の部分から延在する第２の部分を含み、
前記ハンガーは、前記第１の部分及び前記第２の部分が前記スクリーンからずれた状態で前記電子デバイスによって動作可能に支持されており、これにより、前記ハンガーによって前記スクリーンが遮られることなく前記スクリーンの全体が見え、前記第１の部分及び前記第２の部分が衣類を支持するように位置決めされている、
付属品組立体。
【請求項８】
前記第１の部分及び前記第２の部分が、それぞれ、前記周囲縁部を少なくとも部分的に越えて延在し、これにより、前記第１の部分と前記周囲縁部との間に第１の開口部が配置され、前記第２の部分と前記周囲縁部との間に第２の開口部が配置される、請求項７に記載の付属品組立体。
【請求項９】
前記電子デバイスは、第１の側と前記第１の側と反対の第２の側を含み、前記スクリーンは、前記第１の側に配置され、前記ハンガーは前記第２の側に係合する、請求項７に記載の付属品組立体。
【請求項１０】
前記電子デバイスが、互いに対向しており互いに離間している第１の縁部及び第２の縁部を含み、
前記電子デバイスが、互いに対向しており互いに離間している第３の縁部及び第４の縁部を含み、
前記第１の縁部及び前記第２の縁部は、それぞれ、前記第３の縁部及び前記第４の縁部に隣接して配置され、これにより、前記第１、第２、第３及び第４の縁部が協働して前記周囲縁部を形成し、
前記ハンガーは前記第３の縁部及び前記第４の縁部に係合し、前記第１の縁部及び前記第２の縁部から離間している、請求項７に記載の付属品組立体。
【請求項１１】
前記ハンガーは、本体と、前記本体から互いに反対方向に延在する第１のアーム及び第２のアームを含み、
前記第１のアームは前記第１の部分及び第１の肘部を含み、
前記第２のアームは前記第２の部分及び第２の肘部を含み、
前記第１の部分は、前記本体と前記第１の肘部の間で延在し、前記第２の部分は、前記本体と前記第２の肘部の間で延在し、前記第１の肘部及び前記第２の肘部は、それぞれ、互いに反対方向に前記電子デバイスの前記周囲縁部を越えて延在する、請求項７に記載の付属品組立体。
【請求項１２】
前記電子デバイスが、互いに対向しており互いに離間している第１の縁部と第２の縁部とを含み、前記電子デバイスが、互いに対向しており互いに離間している第３の縁部と第４の縁部とを含み、前記第１、第２、第３、および第４の縁部が協働して前記周囲縁部を形成するように、前記第１および第２の縁部が、それぞれ前記第３および第４の縁部に隣接して配置され、
前記ハンガーの前記第１の部分の少なくとも一部分及び前記第２の部分の少なくとも一部分が、前記電子デバイスの前記第１の縁部を越えて延在し、
前記第１の肘部が前記電子デバイスの前記第３の縁部を越えて延在し、前記第２の肘部が前記電子デバイスの前記第４の縁部を越えて延在する、請求項１１に記載の付属品組立体。
【請求項１３】
前記電子デバイスおよび前記ハンガーが、前記本体のところで動作可能に互いに取り付けられ、前記本体は、前記第３の縁部と前記第４の縁部の間の中央に配置されている、請求項１２に記載の付属品組立体。
【請求項１４】
車両のシートに動作可能に連結されるように構成される付属品組立体であって、
第１の側、および前記第１の側と反対の第２の側を有するハウジングであって、周囲縁部によって取り囲まれ、前記第１の側でスクリーンを支持するように構成されるハウジングと、
本体と前記本体の対向する端部から延在している第１および第２の部分とを有する、前記ハウジングと協働するハンガーと、
を備え、
前記ハンガーが前記ハウジングの前記第１の側を遮らないように、前記ハンガーは、前記ハウジングの前記第２の側に取外し可能に固定されるように構成され、
前記ハンガーは、前記付属品組立体が前記車両のシートに動作可能に連結されるとき、前記ハウジングと前記車両のシートの間に位置決めされるように構成される、付属品組立体。
【請求項１５】
前記第１の部分及び前記第２の部分が、それぞれ、前記周囲縁部を少なくとも部分的に越えて延在し、これにより、前記第１の部分と前記周囲縁部との間に第１の開口部が配置され、前記第２の部分と前記周囲縁部との間に第２の開口部が配置される、請求項１４に記載の付属品組立体。
【請求項１６】
前記ハウジングが、互いに対向しており互いに離間している第１の縁部と第２の縁部とを含み、前記ハウジングが、互いに対向しており互いに離間している第３の縁部と第４の縁部とを含み、前記第１、第２、第３、および第４の縁部が協働して前記周囲縁部を形成するように、前記第１および第２の縁部が、それぞれ前記第３および第４の縁部に隣接して配置され、
前記ハンガーが、前記第３の縁部及び前記第４の縁部に係合し、前記第１の縁部及び前記第２の縁部から離間している、請求項１４に記載の付属品組立体。
【請求項１７】
前記ハンガーは、さらに、前記本体から互いに反対方向に延在する第１のアーム及び第２のアームを含み、
前記第１のアームは、前記第１の部分と第１の肘部を含み、
前記第２のアームは、前記第２の部分と第２の肘部を含み、
前記第１の部分は、前記本体と前記第１の肘部の間で延在し、前記第２の部分は、前記本体と前記第２の肘部の間で延在し、前記第１の肘部及び前記第２の肘部は、それぞれ、互いに反対方向に前記ハウジングの前記周囲縁部を越えて延在する、請求項１４に記載の付属品組立体。
【請求項１８】
前記ハウジングが、互いに対向しており互いに離間している第１の縁部及び第２の縁部を含み、
前記ハウジングが、互いに対向しており互いに離間している第３の縁部及び第４の縁部を含み、
前記第１の縁部及び前記第２の縁部は、それぞれ、前記第３の縁部及び前記第４の縁部に隣接して配置され、これにより、前記第１、第２、第３及び第４の縁部が協働して前記周囲縁部を形成し、
前記ハンガーの前記第１の部分の少なくとも一部分及び前記第２の部分の少なくとも一部分が、前記ハウジングの前記第１の縁部を越えて延在し、
前記第１の肘部が前記ハウジングの前記第３の縁部を越えて延在し、前記第２の肘部が前記ハウジングの前記第４の縁部を越えて延在し、
前記ハウジングおよび前記ハンガーが、前記本体のところで動作可能に互いに取り付けられるように構成され、前記本体は、前記第３の縁部と前記第４の縁部の間の中央に配置されている、
請求項１７に記載の付属品組立体。
【請求項１９】
さらに、前記ハウジング及び前記ハウジングによって支持される前記スクリーンを含む電子デバイスを備え、
前記電子デバイスは、第１の側と前記第１の側と反対の第２の側とを含み、
前記スクリーンは前記第１の側に配置され、前記ハンガーは前記第２の側に係合するように構成されている、請求項１４に記載の付属品組立体。